【手続補正書】
【提出日】平成24年1月13日(2012.1.13)
【手続補正１】
【補正対象書類名】特許請求の範囲
【補正対象項目名】全文
【補正方法】変更
【補正の内容】
【特許請求の範囲】
【請求項１】
パケットに含まれたデータに関連付けられたエラー検出符号（５１、７７）を含むデータパケット（５０、７４）を受信するステップであって、エラー検出符号に関連付けられたデータが、一次データ（５２、７５）および二次データ（５３、７６）を含む、受信するステップと、
関連付けられたデータの誤った状態を検出するために、受信されたパケットのエラー検出符号を検査するステップと、
誤った状態が検出されたときに、一次データのための有限の組の候補値を、その組の各候補値について決定するステップ（８６）と、
受信されたパケットのエラー検出符号に応じて、二次データにわたる候補値の周辺尤度を決定するステップと、
受信されたパケットの一次データと候補値との第１の相関を決定するステップと、
前記周辺尤度および前記第１の相関に応じて、その組の候補値の中で、一次データのための訂正値を選択するステップと
を含む、伝送エラーを回復するための方法。
【請求項２】
候補値の周辺尤度を決定するステップが、
二次データのための有限の組の潜在値を決定するステップと、
二次データの潜在値を、それぞれのエラー検出符号値に関連付けられたサブセットに分類するステップであって、サブセット内の二次データのすべての潜在値が、一次データの候補値と組み合わせられるときに、関連付けられたエラー検出符号値を生じるように選択される、分類するステップと、
サブセットごとに、受信されたパケットの二次データおよび受信されたパケットのエラー検出符号に応じて、サブセットに属する二次データの周辺尤度を決定するステップと、
すべての前記サブセットのための前記周辺尤度を累積することによって、候補値の前記周辺尤度を決定するステップと
を含む、請求項１に記載の方法。
【請求項３】
サブセットに属する二次データの周辺尤度を決定するステップが、
サブセットに関連付けられたエラー検出符号値と、受信されたパケットのエラー検出符号との第２の相関を決定するステップと、
サブセット内の二次データの潜在値と、受信されたパケットの二次データとの第３の相関を決定するステップと、
前記第２の相関および前記第３の相関に応じて、サブセットに属する二次データの周辺尤度を決定するステップと
を含む、請求項２に記載の方法。
【請求項４】
候補値の周辺尤度を決定するステップが、
受信されたパケットのエラー検出符号を複数のブロックに分割するステップと、
受信されたパケットのエラー検出符号のブロックごとに、前記ブロックに応じて、候補値の部分的な周辺尤度を決定するステップと、
エラー検出符号のすべてのブロックに関連付けられた部分的な周辺尤度に応じて、候補値の前記周辺尤度を決定するステップと
を含む、請求項１に記載の方法。
【請求項５】
候補値の部分的な周辺尤度を決定するステップが、
二次データのための有限の組の潜在値を決定するステップと、
二次データの潜在値を、エラー検出符号のブロックのそれぞれの値に関連付けられたサブセットに分類するステップであって、サブセット内の二次データのすべての潜在値が、一次データの候補値と組み合わせられるときに、関連付けられたブロック値を生じるように選択される、分類するステップと、
サブセットごとに、受信されたパケットの二次データおよび受信されたパケットのエラー検出符号のブロックに応じて、サブセットに属する二次データの部分的な周辺尤度を決定するステップと、
すべての前記サブセットのための前記部分的な周辺尤度を累積することによって、候補値の前記部分的な周辺尤度を決定するステップと
を含む、請求項４に記載の方法。
【請求項６】
サブセットに属する二次データの部分的な周辺尤度を決定するステップが、
サブセットに関連付けられたブロック値と、受信されたパケットのエラー検出符号のブロックとの第２の相関を決定するステップと、
サブセット内の二次データの潜在値と、受信されたパケットの二次データとの第３の相関を決定するステップと、
前記第２の相関および前記第３の相関に応じて、サブセットに属する二次データの部分的な周辺尤度を決定するステップと
を含む、請求項５に記載の方法。
【請求項７】
二次データの潜在値を、それぞれのエラー検出符号値またはそれぞれのブロック値に関連付けられたサブセットに分類するステップが、二次データの潜在値のトレリス表現を構成するステップを含む、請求項２から６のいずれか一項に記載の方法。
【請求項８】
トレリス表現が、より低い深度値からより高い深度値へと構成され、トレリスの深度が、すでに決定された二次データのいくつかのビットを表す、請求項７に記載の方法。
【請求項９】
トレリス表現が、より高い深度値からより低い深度値へと構成され、トレリスの深度が、すでに決定された二次データのいくつかのビットを表す、請求項７に記載の方法。
【請求項１０】
二次データのための有限の組の潜在値が、二次データのために確保されたパケットのフィールドのデータの各々および全てのビットについて、すべての可能性のある２進値の組合せを含む、請求項２から９のいずれか一項に記載の方法。
【請求項１１】
パケットが、プロトコルデータユニット（５０）を含み、一次データが、プロトコルデータユニットの制御データ（５２）を含み、二次データが、プロトコルデータユニットのサービスデータ（５３）を含む、請求項１から１０のいずれか一項に記載の方法。
【請求項１２】
制御データの訂正値に応じて、受信されたプロトコルデータユニットのサービスデータ（５３）を処理するステップをさらに含む、請求項１１に記載の方法。
【請求項１３】
パケット（７４）が、スケーラブルなビデオコーデックによって符号化されたビデオデータを含み、一次データ（７５）が、基層に対応するビデオデータを含み、二次データ（７６）が、強化層に対応するビデオデータを含む、請求項１から１２のいずれか一項に記載の方法。
【請求項１４】
パケットに含まれたデータ（７５、７６、７８）に関連付けられたエラー検出符号（７７）を含むデータパケット（７４）を受信するための入力手段（９１）であって、エラー検出符号に関連付けられたデータが、一次データ（７５）および二次データ（７６）を含む、入力手段（９１）と、
関連付けられたデータの誤った状態を検出するために、受信されたパケットのエラー検出符号を検査するためのエラー検出符号検査手段（９２）と、
一次データのための有限の組の候補値を、その組の各候補値について決定し、受信されたパケットのエラー検出符号に応じて、二次データにわたる候補値の周辺尤度を決定し、受信されたパケットの一次データと候補値との第１の相関を決定し、前記周辺尤度および前記第１の相関に応じて、その組の候補値の中で、一次データのための訂正値を選択する、ように動作可能な一次データ訂正手段（９４）と
を含む、伝送エラーを回復するためのデバイス（９０）。
【請求項１５】
パケットが、プロトコルデータユニット（５０）を含み、一次データが、プロトコルデータユニットの制御データ（５２）を含み、二次データが、プロトコルデータユニットのサービスデータ（５３）を含み、処理モジュールが、前記制御データに応じて前記サービスデータを処理するように動作可能である、請求項１４に記載のデバイス及び処理モジュール（９３）を含む透過的なプロトコル層復号器。